(57)【特許請求の範囲】
【請求項１】
操作者を責任者として登録する第１登録手段と、
販売対象の商品を登録する第２登録手段と、
ポイントの付与対象となる客を識別可能な識別情報の入力を受け付ける入力手段と、
前記識別情報ごとに前記ポイントに関するポイント情報を対応付けて記憶する記憶部から、前記入力手段が受け付けた前記識別情報に対応する前記ポイント情報を読み取る読取手段と、
前記読取手段が読み取った前記ポイント情報を保持する保持手段と、
前記第１登録手段が責任者を登録してから前記第２登録手段が商品を登録するまでの時間を計測する第１計測手段と、
前記入力手段が前記識別情報を受け付けてから前記第２登録手段が商品を登録するまでの時間を計測する第２計測手段と、
前記第１計測手段が第１設定時間を経過したことを計測した場合に、前記第１登録手段が登録した責任者の登録を解除する解除手段と、
前記第２計測手段が第２設定時間を経過したことを計測した場合に、前記保持手段が保持する前記ポイント情報を消去する消去手段と、
前記第１登録手段が責任者を登録しており、且つ前記保持手段が前記ポイント情報を保持している場合に、商品の購入金額に応じたポイントを付与する付与手段と、
を備える商品販売データ処理装置。 
【請求項２】
前記第１計測手段は、前記第２登録手段が商品を登録した場合に、計測を停止する、
請求項１に記載の商品販売データ処理装置。 
【請求項３】
前記第１登録手段が登録した責任者を、前記第２登録手段が登録した商品を表示する画面に表示させる表示制御手段を更に備える、
請求項１又は２に記載の商品販売データ処理装置。 
【請求項４】
前記第１計測手段は、前記入力手段が前記識別情報の入力を受け付けた場合に、計測時間を初期化する、
請求項３に記載の商品販売データ処理装置。 
【請求項５】
コンピュータを、
操作者を責任者として登録する第１登録手段と、
販売対象の商品を登録する第２登録手段と、
ポイントの付与対象となる客を識別可能な識別情報の入力を受け付ける入力手段と、
前記識別情報ごとに前記ポイントに関するポイント情報を対応付けて記憶する記憶部から、前記入力手段が受け付けた前記識別情報に対応する前記ポイント情報を読み取る読取手段と、
前記読取手段が読み取った前記ポイント情報を保持する保持手段と、
前記第１登録手段が責任者を登録してから前記第２登録手段が商品を登録するまでの時間を計測する第１計測手段と、
前記入力手段が前記識別情報を受け付けてから前記第２登録手段が商品を登録するまでの時間を計測する第２計測手段と、
前記第１計測手段が第１設定時間を経過したことを計測した場合に、前記第１登録手段が登録した責任者の登録を解除する解除手段と、
前記第２計測手段が第２設定時間を経過したことを計測した場合に、前記保持手段が保持する前記ポイント情報を消去する消去手段と、
前記第１登録手段が責任者を登録しており、且つ前記保持手段が前記ポイント情報を保持している場合に、商品の購入金額に応じたポイントを付与する付与手段と、
として機能させるプログラム。
【発明の詳細な説明】
【技術分野】
【０００１】
本発明の実施形態は、商品販売データ処理装置及びプログラムに関する。
【背景技術】
【０００２】
従来、集客率向上や得意客の増加をねらって、買上げ金額等に応じて会員である顧客にポイントを付与し、貯まったポイントに応じて値引き等の特典を会員に提供するポイントサービスが行われている。係るポイントサービスでは、固有の識別情報を記録したカードを各会員に配布し、この識別情報に基づいてポイントを管理することが一般に行われている。
【０００３】
ところで、このようなポイントサービスでは、購入対象の商品を登録する際に、ポイントカードの読み取りを行っている。そして、読み取ったポイントカードに基づき、買上げ金額等に応じたポイントを会員に付与している。そのため、ポイントカードを読み取らせた場合には、その取引が締められない限り、ポイントカードから読み取った情報は保持される。
【０００４】
しかしながら、ポイントカードを読み取らせた後に、買上げが取り止められたような場合、ポイントカードから読み取った情報が保持された状態を維持してしまうことがある。この場合には、操作者が意図した状態ではないため、操作ミスを誘発する恐れがある。
【発明の概要】
【発明が解決しようとする課題】
【０００５】
本発明が解決しようとする課題は、締め操作をせずにポイントカードから読み取った情報を消去することができる商品販売データ処理装置及びプログラムを提供することである。
【課題を解決するための手段】
【０００６】
実施形態の商品販売データ処理装置は、第１登録手段と、第２登録手段と、入力手段と、読取手段と、保持手段と、第１計測手段と、第２計測手段と、解除手段と、消去手段と、付与手段と、を備える。前記第１登録手段は、操作者を責任者として登録する。前記第２登録手段は、販売対象の商品を登録する。前記入力手段は、ポイントの付与対象となる客を識別可能な識別情報の入力を受け付ける。前記読取手段は、前記識別情報ごとに前記ポイントに関するポイント情報を対応付けて記憶する記憶部から、前記入力手段が受け付けた前記識別情報に対応する前記ポイント情報を読み取る。前記保持手段は、前記読取手段が読み取った前記ポイント情報を保持する。前記第１計測手段は、前記第１登録手段が責任者を登録してから前記第２登録手段が商品を登録するまでの時間を計測する。前記第２計測手段は、前記入力手段が前記識別情報を受け付けてから前記第２登録手段が商品を登録するまでの時間を計測する。前記解除手段は、前記第１計測手段が第１設定時間を経過したことを計測した場合に、前記第１登録手段が登録した責任者の登録を解除する。前記消去手段は、前記第２計測手段が第２設定時間を経過したことを計測した場合に、前記保持手段が保持する前記ポイント情報を消去する。前記付与手段は、前記第１登録手段が責任者を登録しており、且つ前記保持手段が前記ポイント情報を保持している場合に、商品の購入金額に応じたポイントを付与する。
【図面の簡単な説明】
【０００７】
【図１】図１は、本実施形態に係るＰＯＳシステムの構成を示す図である。
【図２】図２は、ＰＯＳ端末の外観構成を概略的に示す図である。
【図３】図３は、ＰＯＳ端末のハードウェア構成を示すブロック図である。
【図４】図４は、ストアサーバのハードウェア構成を示すブロック図である。
【図５】図５は、ポイント管理ファイルのデータ構成の一例を示す図である。
【図６】図６は、ＰＯＳ端末の機能構成を示すブロック図である。
【図７】図７は、商品登録処理の流れを示すフローチャートである。
【図８】図８は、商品登録画面の一例を示す図である。
【図９】図９は、メッセージが表示された商品登録画面の一例を示す図である。
【図１０】図１０は、セルフＰＯＳの外観構成を概略的に示す図である。
【発明を実施するための形態】
【０００８】
以下、添付図面を参照して、実施形態に係る商品販売データ処理装置及びプログラムを詳細に説明する。なお、以下に説明する実施の形態によりこの発明が限定されるものではない。
【０００９】
図１は、本実施形態に係るＰＯＳシステム１の構成を示す図である。係るＰＯＳシステム１は、固有のカード識別情報を記録したポイントカードＣ１（図２参照）を各会員に発行し、このポイントカードＣ１を持参した会員に対して、購入金額に応じたポイントを付与するサービスを提供する店舗で利用されるものである。ＰＯＳシステム１は、ポイントカードＣ１を各会員に発行することで、ポイントを付与する対象となる顧客である会員を識別することができる。
【００１０】
図１に示すように、ＰＯＳシステム１は、本実施形態の商品販売データ処理装置に対応する複数台のＰＯＳ端末２と、ストアサーバ３とを有する。ＰＯＳ端末２とストアサーバ３とは、ＬＡＮ４によって接続され、各種データを送受信する。
【００１１】
ＰＯＳ端末２は、精算場所に設置され、操作者が売上処理を行うための端末である。ここで、図２は、ＰＯＳ端末２の外観構成を概略的に示す図である。図２に示すように、本体２０１の上面には、キーボード２０２と、カードリーダ２０４とが設けられる。
【００１２】
キーボード２０２は、操作者が操作入力を行うための各種の操作キーを有している。キーボード２０２は、数値を入力するための「置数キー」、商品の小計出力を指示する「小計キー」、取引の締めを指示するための「締めキー」等を含む。
【００１３】
カードリーダ２０４は、ポイントカードＣ１の挿入を受け付け、そのポイントカードＣ１からデータの読み取りを行う装置である。例えば、ポイントカードＣ１が磁気カードである場合、カードリーダ２０４として磁気カードリーダを用いる。また、ポイントカードＣ１がＩＣカードである場合には、カードリーダ２０４としてＩＣカードリーダを用いる。
【００１４】
また、本体２０１の奥側には、表示器２０５が設けられる。表示器２０５は、例えば液晶表示器であり、操作者用の第１表示器２０５ａと、主に客用に用いられる第２表示器２０５ｂとを有する。表示器２０５は、各種情報を表示する。
【００１５】
また、本体２０１の下部側には、金銭を収納するためのドロワ２０６が引出自在に設けられる。さらに、ＰＯＳ端末２には、バーコードや二次元コード等のコードシンボルに保持されたデータを光学的に読み取るコードスキャナ２０７等が接続される。
【００１６】
ＰＯＳ端末２は、本体２０１の内部に、図３に示すようなハードウェア構成を有する。ここで、図３は、ＰＯＳ端末２のハードウェア構成を示すブロック図である。ＰＯＳ端末２は、ＣＰＵ（Central  Processing  Unit）２１と、ＲＡＭ（Random  Access  Memory）２２と、ＲＯＭ（Read  Only  Memory）２３と、通信インタフェース（Ｉ／Ｆ）２６と、Ｉ／Ｏ機器制御部２８と、とを備える。
【００１７】
ＣＰＵ２１は、バス２４を介して、ＲＡＭ２２と、ＲＯＭ２３と、通信インタフェース（Ｉ／Ｆ）２６と、Ｉ／Ｏ機器制御部２８と接続される。ＣＰＵ２１は、ＲＯＭ２３あるいは記憶部２７に格納されたプログラムをＲＡＭ２２に展開して実行することにより、Ｉ／Ｏ機器制御部２８に接続された上記各部を制御し、ＰＯＳ端末２における各種処理を実行する。
【００１８】
ＲＡＭ２２は、記憶領域の一部を、会員情報タイマ値領域２２１と、責任者タイマ値領域２２２と、会員情報保持領域２２３として使用する。会員情報タイマ値領域２２１は、後述する会員情報を保持している時間を計測するタイマのタイマ値を記憶する領域である。責任者タイマ値領域２２２は、ＰＯＳ端末２の責任者として登録された操作者を解除するログオフまでの時間を計測するタイマのタイマ値を記憶する領域である。会員情報保持領域２２３は、ストアサーバ３から読み取った、会員情報を記憶する領域である。
【００１９】
ここで、会員情報とは、商品の購入金額に応じて付与されるポイントに関するポイント情報を含む、ポイントカードＣ１を有する会員に関する情報である。さらに詳しくは、ポイント情報とは、現在のポイントの累積値などである。会員に関する情報とは、会員登録時に記入した会員の氏名、年齢、性別、連絡先などの情報である。
【００２０】
通信インタフェース（Ｉ／Ｆ）２６は、ＬＡＮ４を介してストアサーバ３との間で相互にオンライン通信を実行する。
【００２１】
Ｉ／Ｏ機器制御部２８は、キーボード２０２と、カードリーダ２０４と、表示器２０５と、コードスキャナ２０７とが接続される。また、ＣＰＵ２１には、ＲＯＭ２３及びＩ／Ｏ機器制御部２８を介して、プリンタ２５と、記憶部２７とが接続される。プリンタ２５は、ＣＰＵ２１の制御に基づき、レシート用紙及びジャーナル用紙への印字を行うレシート／ジャーナルプリンタであって、本体２０１の内部又は本体２０１の外部に設けられる。記憶部２７は、ＨＤＤ（Hard  Disk  Drive）等の記憶装置である。記憶部２７は、ＣＰＵ２１が実行する各種プログラムや各種データ等を格納している。
【００２２】
次に、ストアサーバ３について説明する。ストアサーバ３は、ＰＯＳシステム１に係る各種データの記憶と管理を行う。
【００２３】
図４は、ストアサーバ３のハードウェア構成を示すブロック図である。ストアサーバ３は、ＣＰＵ３１と、ＲＡＭ３２と、ＲＯＭ３３と、通信インタフェース（Ｉ／Ｆ）３５と、Ｉ／Ｏ機器制御部３６と、を備える。ＣＰＵ３１は、バス３４を介して、ＲＡＭ３２と、ＲＯＭ３３と、通信インタフェース（Ｉ／Ｆ）３５と、Ｉ／Ｏ機器制御部３６と接続される。ＣＰＵ３１は、ＲＯＭ３３あるいは記憶部３９に格納されたプログラムをＲＡＭ３２に展開して実行することにより、Ｉ／Ｏ機器制御部３６に接続された上記各部を制御し、ストアサーバ３における各種処理を実行する。
【００２４】
通信インタフェース（Ｉ／Ｆ）３５は、ＬＡＮ４を介してＰＯＳ端末２との間で相互にオンライン通信を実行する。Ｉ／Ｏ機器制御部３６は、キーボード３７と、表示器３８と、記憶部３９とが接続される。
【００２５】
記憶部３９は、ＨＤＤ（Hard  Disk  Drive）等の記憶装置である。記憶部２７は、ＣＰＵ３１が実行する各種プログラムや各種データの他、商品マスタファイルＦ１と、ポイント管理ファイルＦ２とをＰＯＳ端末２から参照可能に記憶する。
【００２６】
商品マスタファイルＦ１は、各商品を識別するための商品コードと対応付けて、その商品に関する商品情報が格納されている（不図示）。商品情報は、例えば、その商品の商品名、商品が属する部門を示す部門コードや、価格等である。
【００２７】
ポイント管理ファイルＦ２は、各会員に付与されたポイントを管理するためのファイルである。図５は、ポイント管理ファイルＦ２のデータ構成の一例を示す図である。図５に示すように、ポイント管理ファイルＦ２は、各ポイントカードＣ１のカード識別情報に対応付けて、会員情報を記憶する。
【００２８】
上記の構成において、ストアサーバ３のＣＰＵ３１は、ＰＯＳ端末２と協働することで、カード識別情報ごとに会員情報を管理する。具体的に、ＣＰＵ３１は、ＰＯＳ端末２からカード識別情報とポイントとの組を受け付けると、このカード識別情報に対応付けてポイント管理ファイルＦ２に記憶された累積ポイントに、当該ポイントを加算する。また、ＣＰＵ３１は、ＰＯＳ端末２から特定のカード識別情報を指定した読み出し要求を受け付けると、そのカード識別情報に対応する会員情報を読み出し、ＰＯＳ端末２に提供（送信）する。
【００２９】
次に、実施形態にかかるＰＯＳ端末２のＣＰＵ２１が実現する機能部について説明する。図６は、ＰＯＳ端末２の機能構成を示すブロック図である。ＣＰＵ２１は、ＲＯＭ２３や記憶部２７に記憶されたプログラムと協働することで、図６に示すように、カード識別情報入力部２１１と、会員情報取得部２１２と、会員情報保持部２１３と、商品登録部２１４と、時間計測部２１５と、会員情報消去部２１６と、責任者解除部２１７と、表示制御部２１８と、として機能する。
【００３０】
入力手段であるカード識別情報入力部２１１は、カードリーダ２０４を介して、会員が有しているポイントカードＣ１から、会員を識別可能なカード識別情報の入力を受け付ける。なお、カード識別情報は、キーボード２０２を介して、入力されてもよい。
【００３１】
読取手段である会員情報取得部２１２は、ストアサーバ３の記憶部３９に記憶されたポイント管理ファイルＦ２から、カード識別情報に対応付けられた会員情報を読み取る。具体的には、会員情報取得部２１２は、カード識別情報入力部２１１が入力を受け付けたカード識別情報と共に会員情報の読み出し要求をストアサーバ３に送信する。そして、会員情報取得部２１２は、ストアサーバ３から送信された会員情報を受信することで会員情報を読み出す。
【００３２】
保持手段である会員情報保持部２１３は、会員情報取得部２１２が、取得した会員情報をＲＡＭ２２の会員情報保持領域２２３に記憶させることで保持する。
【００３３】
登録手段である商品登録部２１４は、キーボード２０２又はコードスキャナ２０７から入力された商品の商品情報を、会員が購入対象の商品として登録する。例えば、商品登録部２１４は、キーボード２０２やコードスキャナ２０７から商品コードが入力されると、当該商品コードに対応する商品情報を商品マスタファイルＦ１から取得し、登録する。
【００３４】
計測手段である時間計測部２１５は、商品を登録するまでの時間を計測する。更に詳しくは、時間計測部２１５は、特徴的な機能として、会員情報タイマと、責任者タイマとの機能を有する。
【００３５】
会員情報タイマは、ＲＡＭ２２の会員情報保持領域２２３に記憶されている会員情報を消去するまでの設定時間以内に、商品登録部２１４が商品を登録するか否かを判定する。ここで、会員情報を消去するまでの設定時間は、事前に任意の値を設定することができる。具体的には、１分以内などである。会員情報タイマは、会員情報取得部２１２がＲＡＭ２２の会員情報保持領域２２３に会員情報を記憶させると計測を開始する。そして、会員情報タイマは、設定時間を経過するまでに商品登録部２１４が商品を登録した場合に、会員情報を保持すると判定する。一方、会員情報タイマは、設定時間を経過するまでに商品登録部２１４が商品を登録しない場合に、会員情報を消去すると判定する。
【００３６】
なお、会員情報タイマの計測開始は、ＰＯＳ端末２を使用する責任者として、ＰＯＳ端末２に店員コードを入力したときであってもよい。その場合には、会員情報保持領域２２３に会員情報を記憶させたときには、会員情報タイマのタイマ値をクリアして、再度計測を行う。
【００３７】
責任者タイマは、ＰＯＳ端末２を使用する責任者としての登録を解除するまでの設定時間以内に、商品登録部２１４が商品を登録するか否かを判定する。ここで、責任者登録を解除するまでの設定時間は、事前に任意の値を設定することができる。具体的には、５分以内などである。責任者タイマは、ＰＯＳ端末２を使用する責任者として登録されると計測を開始する。そして、責任者タイマは、設定時間を経過するまでに商品登録部２１４が商品を登録した場合に、責任者登録を解除しないと判定する。一方、責任者タイマは、設定時間を経過するまでに商品登録部２１４が商品を登録しない場合に、責任者登録を解除すると判定する。
【００３８】
なお、責任者タイマは、会員情報保持領域２２３に会員情報を記憶させたときに、責任者タイマのタイマ値をクリアして、再度計測を行う。
【００３９】
消去手段である会員情報消去部２１６は、時間計測部２１５が、設定時間までに商品登録が行われず、会員情報を消去すると判定した場合に、ＲＡＭ２２の会員情報保持領域２２３に記憶された会員情報を消去する。
【００４０】
責任者解除部２１７は、時間計測部２１５が、設定時間までに商品登録が行われず、責任者登録を解除すると判定した場合に、責任者としての登録を解除する。
【００４１】
表示制御手段である表示制御部２１８は、ＲＡＭ２２の会員情報保持領域２２３に会員情報が記憶された場合に、会員情報を保持していることを示す報知画面を表示させる。これにより、ポイントカードＣ１を読み取っているか否かを識別することができる。報知画面は、会員情報を保持していることを報知するメッセージの表示などである。または、会員情報を保持していることを示すマークなどであってもよい。または、会員情報を保持していることを示すポップアップ画面などであってもよい。
【００４２】
次に、上述した実施形態にかかるＰＯＳ端末２のＣＰＵ２１が制御プログラムに従って実行する商品登録処理について説明する。
【００４３】
図７は、ＰＯＳ端末２のＣＰＵ２１が制御プログラムに従って実行する商品登録処理の流れを示すフローチャートである。
【００４４】
ＰＯＳ端末２のＣＰＵ２１は、ＰＯＳ端末２を使用する操作者である責任者の登録を求める責任者登録画面（不図示）を表示する（ステップＳ１）。次いで、ＰＯＳ端末２のＣＰＵ２１は、責任者が登録されたか否かを判定する（ステップＳ２）。責任者登録が登録されていない場合に（ステップＳ２；Ｎｏ）、ＰＯＳ端末２のＣＰＵ２１は、待機する。
【００４５】
一方、責任者が登録された場合に（ステップＳ２；Ｙｅｓ）、ＰＯＳ端末２のＣＰＵ２１（時間計測部２１５）は、会員情報タイマと、責任者タイマとの計測を開始する（ステップＳ３）。
【００４６】
次いで、ＰＯＳ端末２のＣＰＵ２１は、商品登録画面Ｇ１を表示させる（ステップＳ４）。ここで、図８は、商品登録画面Ｇ１の一例を示す図である。商品登録画面Ｇ１は、商品登録部２１４が登録した商品を表示する画面である。商品登録画面Ｇ１は、大別すると、基本情報表示欄Ｇ１１と、商品一覧表示欄Ｇ１２と、売上点数表示欄Ｇ１３と、売上金額表示欄Ｇ１４とを備える。基本情報表示欄Ｇ１１は、ＰＯＳ端末２の基本的な状態を表示する欄である。また、基本情報表示欄Ｇ１１は、ＰＯＳ端末２を識別可能なレジＮｏ欄と、操作者である責任者欄とを表示する欄を備える。図８に示す基本情報表示欄Ｇ１１は、登録と表示し商品登録を行うことが示されている。また、レジＮｏ欄には、１と表示され、責任者欄には操作者Ａと表示されている。商品一覧表示欄Ｇ１２は、商品登録部２１４が購入対象として登録した商品の一覧を表示する欄である。売上点数表示欄Ｇ１３は、商品登録部２１４が購入対象として登録した直近の商品の売上点数を表示する欄である。売上金額表示欄Ｇ１４は、商品登録部２１４が購入対象として登録した直近の商品の売上金額を表示する欄である。
【００４７】
次いで、ＰＯＳ端末２のＣＰＵ２１は、コードスキャナ２０７やキーボード２０２を介して、商品コードが入力されるか否かを判定する（ステップＳ５）。商品コードが入力された場合に（ステップＳ５；Ｙｅｓ）、ＰＯＳ端末２のＣＰＵ２１（商品登録部２１４）は、入力された商品を購入対象の商品として商品登録を行う（ステップＳ６）。
【００４８】
次いで、ＰＯＳ端末２のＣＰＵ２１（時間計測部２１５）は、会員情報タイマを停止する（ステップＳ７）。このように、ＰＯＳ端末２のＣＰＵ２１（時間計測部２１５）は、会員情報タイマを停止することで、その後、会員情報タイマが設定時間になることはなくなる。よって、会員情報消去部２１６は、会員情報を消去しなくなる。
【００４９】
次いで、ＰＯＳ端末２のＣＰＵ２１（時間計測部２１５）は、責任者タイマを停止する（ステップＳ８）。このように、ＰＯＳ端末２のＣＰＵ２１（時間計測部２１５）は、責任者タイマを停止することで、その後、責任者タイマが設定時間になることはなくなる。よって、責任者解除部２１７は、責任者を解除しなくなる。
【００５０】
次いで、ＰＯＳ端末２のＣＰＵ２１は、商品登録された商品を商品登録画面Ｇ１に表示させる（ステップＳ９）。
【００５１】
一方、商品コードが入力されない場合に（ステップＳ５；Ｎｏ）、ＰＯＳ端末２のＣＰＵ２１（カード識別情報入力部２１１）は、ポイントカードＣ１が読み取られ、カード識別情報が入力されたか否かを判定する（ステップＳ１０）。
【００５２】
カード識別情報が入力された場合に（ステップＳ１０；Ｙｅｓ）、ＰＯＳ端末２のＣＰＵ２１（会員情報取得部２１２）は、会員情報を取得する（ステップＳ１１）。具体的には、ＰＯＳ端末２のＣＰＵ２１（会員情報取得部２１２）は、ストアサーバ３の記憶部３９に記憶されたポイント管理ファイルＦ２から、入力されたカード識別情報に対応付けられた会員情報を読み取る。そして、ＰＯＳ端末２のＣＰＵ２１（会員情報取得部２１２）は、読み取った会員情報を、ＲＡＭ２２の会員情報保持領域２２３に記憶させる。
【００５３】
次いで、ＰＯＳ端末２のＣＰＵ２１（時間計測部２１５）は、ＲＡＭ２２の会員情報タイマ値領域２２１に記憶されたタイマ値をクリアして初期値にする（ステップＳ１２）。次いで、ＰＯＳ端末２のＣＰＵ２１（時間計測部２１５）は、ＲＡＭ２２の責任者タイマ値領域２２２に記憶されたタイマ値をクリアして初期値にする（ステップＳ１３）。
【００５４】
次いで、ＰＯＳ端末２のＣＰＵ２１は、会員情報を保持していることを示すメッセージＭ１を商品登録画面Ｇ１に表示させる（ステップＳ１４）。ここで、図９は、メッセージＭ１が表示された商品登録画面Ｇ１の一例を示す図である。図９に示す商品登録画面Ｇ１は、「（ポイントカード会員宣言中）」とのメッセージＭ１を表示することで会員情報を保持していることを通知する。
【００５５】
一方、カード識別情報が入力されない場合に（ステップＳ１０；Ｎｏ）、ＰＯＳ端末２のＣＰＵ２１（時間計測部２１５）は、商品登録部２１４が商品登録を行わず会員情報タイマが設定時間になったか否かを判定する（ステップＳ１５）。
【００５６】
会員情報タイマが設定時間になったと判定した場合に（ステップＳ１５；Ｙｅｓ）、ＰＯＳ端末２のＣＰＵ２１（会員情報消去部２１６）は、ＲＡＭ２２の会員情報保持領域２２３に記憶された会員情報を消去する（ステップＳ１６）。次いで、ＰＯＳ端末２のＣＰＵ２１（表示制御部２１８）は、商品登録画面Ｇ１に表示された会員情報を保持していることを示すメッセージＭ１を消去する（ステップＳ１７）。
【００５７】
一方、会員情報タイマが設定時間ではないと判定した（ステップＳ１５；Ｎｏ）、ＰＯＳ端末２のＣＰＵ２１（時間計測部２１５）は、商品登録部２１４が商品登録を行わず責任者タイマが設定時間になったか否かを判定する（ステップＳ１８）。なお、責任者タイマの設定時間は、会員情報タイマの設定時間より長く設定してもよい。すなわち、会員情報タイマが設定時間を経過したと判定した後も、ＰＯＳ端末２のＣＰＵ２１（時間計測部２１５）は、責任者タイマが設定時間となったか否かを判定する。
【００５８】
責任者タイマが設定時間ではないと判定した場合に（ステップＳ１８；Ｎｏ）、ＰＯＳ端末２のＣＰＵ２１は、ステップＳ４に戻る。一方、責任者タイマが設定時間になったと判定した場合に（ステップＳ１８；Ｙｅｓ）、ＰＯＳ端末２のＣＰＵ２１（責任者解除部２１７）は、責任者としての登録を解除し（ステップＳ１９）、ステップＳ１に移行する。
【００５９】
次いで、ＰＯＳ端末２のＣＰＵ２１は、商品登録処理を終了する締めキーの押下が検出されるか否かを判定する（ステップＳ２０）。締めキーの押下が検出されない場合に（ステップＳ２０；Ｎｏ）、ＰＯＳ端末２のＣＰＵ２１は、商品登録処理を続行するとして、ステップＳ４に戻る。
【００６０】
一方、締めキーの押下が検出された場合に（ステップＳ２０；Ｙｅｓ）、ＰＯＳ端末２のＣＰＵ２１は、商品登録された商品の代金が授受され、購入金額に応じたポイントを加算する。更に詳しくは、ＰＯＳ端末２のＣＰＵ２１は、入力されたカード識別情報と、加算するポイントとをストアサーバ３に送信する。そして、ストアサーバ３のＣＰＵ３１は、受信したカード識別情報に対応付けられてポイント管理ファイルＦ２に記憶された会員情報に、受信したポイントを加算する（ステップＳ２１）。
【００６１】
以上により、ＰＯＳ端末２のＣＰＵ２１は、商品登録処理を終了する。
【００６２】
以上のように、本実施形態のＰＯＳ端末２によれば、カード識別情報入力部２１１は、カードリーダ２０４などを介して、ポイントカードＣ１からカード識別情報の入力を受け付ける。会員情報取得部２１２は、ポイントに関する情報を含む会員情報を記憶するストアサーバ３の記憶部３９のポイント管理ファイルＦ２から、入力されたカード識別情報に対応付けられた会員情報を読み取る。読み取った会員情報は、会員情報保持部２１３がＲＡＭ２２の会員情報保持領域２２３に保持させる。時間計測部２１５は、商品を登録するまでの時間を計測する。そして、商品を登録するまでの時間が設定時間を経過している場合に、会員情報消去部２１６は、ＲＡＭ２２の会員情報保持領域２２３に保持された会員情報を消去する。よって、締め操作をせずにポイントカードＣ１から読み取った情報を消去することができる。従って、操作者の操作ミスを誘発する恐れがなくなる。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６４】
なお、上述の実施形態において、商品販売データ処理装置として、ＰＯＳ端末２に適用した例で説明したが、これに限らない。例えば、スーパーマーケット等の店舗に設置されて用いられるセルフチェックアウト装置（以降、単にセルフＰＯＳと称する）であってもよい。
【００６５】
ここで、図１０は、セルフＰＯＳ１０００の外観構成を概略的に示す図である。セルフＰＯＳ１０００の本体１２０２は、タッチパネル１１０５が表面に設けられた表示デバイス１１０６や、商品の種別等を認識（検出）するために商品画像を読み取る商品読取部１１１０を備えている。
【００６６】
表示デバイス１１０６としては例えば液晶表示器が用いられる。表示デバイス１１０６は、客にセルフＰＯＳ１０００の操作方法を知らせるための案内画面や、各種の入力画面や、商品読取部１１１０で読み込んだ商品情報を表示する登録画面、商品の合計金額や預かり金額、釣銭額等を表示し、支払い方法の選択をする精算画面等を表示する。
【００６７】
商品読取部１１１０は、客が商品に付されたコードシンボルを商品読取部１１１０の読取窓１１０３にかざすことで商品画像を読み取るものである。
【００６８】
また、本体１２０２の右側にはかごに入った未精算の商品を置くための商品載置台１２０３が設けられる。また、本体１２０２の左側には精算済みの商品を置くための商品載置台１２０４が設けられ、精算済みの商品を入れるための袋を掛けるための袋掛けフック１２０５や、精算済みの商品を袋に入れる前に一時的に置いておくための一時置き台１２０６が設けられている。商品載置台１２０３および１２０４には計量器がそれぞれ備えられており、精算の前後で商品の重量が同じであることを確認する機能を有している。
【００６９】
また、セルフＰＯＳ１０００の本体１２０２には、精算用の紙幣の入金や釣り紙幣の受け取りを行うための釣り銭器１２０１が設けられている。
【００７０】
また、セルフＰＯＳ１０００の本体１２０２には、ポイントカードＣ１の挿入を受け付けるカード挿入口１２１０が設けられている。
【００７１】
このような構成のセルフＰＯＳ１０００を、上述の実施形態に係る商品販売データ処理装置として機能させてもよい。
【００７２】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７３】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００７４】
１  ＰＯＳシステム
２  ＰＯＳ端末
３  ストアサーバ
２１  ＣＰＵ
２１１  カード識別情報入力部
２１２  会員情報取得部
２１３  会員情報保持部
２１４  商品登録部
２１５  時間計測部
２１６  会員情報消去部
２１７  責任者解除部
２１８  表示制御部
【先行技術文献】
【特許文献】
【００７５】
【特許文献１】特開２０１４−４１４７８号公報
【図１】
0006360596.tif 000002
【図２】
0006360596.tif 000003
【図３】
0006360596.tif 000004
【図４】
0006360596.tif 000005
【図５】
0006360596.tif 000006
【図６】
0006360596.tif 000007
【図７】
0006360596.tif 000008
【図８】
0006360596.tif 000009
【図９】
0006360596.tif 000010
【図１０】
0006360596.tif 000011